(57)【要約】【課題】  画像中の人物の顔領域を表示部に所望の拡大表示率で拡大表示した際の、表示部の表示領域に対する顔領域の比率でもって、画像中の他の人物の顔領域または他画像中における人物の顔領域を表示部に表示することができる画像再生装置を提供する。【解決手段】  画像を表示する表示部８と、前記画像中の人物の顔領域を前記表示部に拡大表示する際の、拡大表示率を操作する拡大操作手段と、前記拡大操作手段によって指示された拡大表示率で拡大表示された前記顔領域の、前記表示部における表示領域に対する比率を算出する算出手段と、前記算出手段で算出された前記比率を記憶する記憶手段１２と、前記画像中の他の人物の顔領域、または前記画像とは異なる他画像中における人物の顔領域を、前記記憶手段に記憶された前記比率を用いて前記表示部に拡大表示せしめる制御手段４とを備える。【選択図】  図１
2011002626.tif 000002
【特許請求の範囲】
【請求項１】
画像を表示する表示部と、
前記画像中の人物の顔領域を前記表示部に拡大表示する際の、拡大表示率を操作する拡大操作手段と、
前記拡大操作手段によって指示された拡大表示率で拡大表示された前記顔領域の、前記表示部における表示領域に対する比率を算出する算出手段と、
前記算出手段で算出された前記比率を記憶する記憶手段と、
前記画像中の他の人物の顔領域、または前記画像とは異なる他画像中における人物の顔領域を、前記記憶手段に記憶された前記比率を用いて前記表示部に拡大表示せしめる制御手段と、
を備えることを特徴とする画像再生装置。
【請求項２】
前記比率は、前記拡大操作手段によって任意に変更可能であることを特徴とする請求項１記載の画像再生装置。
【請求項３】
前記拡大操作表示手段の操作をうけて前記表示部上で拡大表示された前記顔領域の、前記表示部の前記表示領域に対する位置を検出する検出手段を備え、
前記制御手段は、前記検出手段により検出された前記位置に、前記画像中の他の人物の顔領域、または前記他画像中の人物の顔領域を拡大表示せしめることを特徴とする請求項１または請求項２記載の画像再生装置。
【請求項４】
前記顔領域の前記表示領域に対する傾き量を検出する傾き検出手段と、
前記傾き検出手段により検出された前記傾き量に基づいて、前記顔領域を前記表示領域に対して回転制御する回転手段とを備え、
前記制御手段は、前記回転手段により回転された前記顔領域を、前記表示領域に拡大表示せしめることを特徴とする請求項１〜請求項３の何れか一項に記載の画像再生装置。
【請求項５】
前記画像を前記表示部に表示する前に、前記比率と前記位置とを予め設定する事前設定手段を更に有し、
前記記憶手段は、前記事前設定手段で設定された前記比率と前記位置とを記憶することを特徴とする請求項３記載の画像再生装置。
【発明の詳細な説明】
【技術分野】
【０００１】
本発明は、画像を再生表示する画像再生装置に関するものである。
【背景技術】
【０００２】
画像中の複数の人物の顔をそれぞれ顔領域データとして切り出し、切り出した顔領域データの解像度を表示パネルの表示解像度に合わせて変換し、変換された解像度を有する顔領域データのそれぞれを表示パネルに順次拡大表示する画像生成装置が提案されている（例えば、特許文献１参照）。
【先行技術文献】
【特許文献】
【０００３】
【特許文献１】特開２００６−２６１７１１号公報
【発明の概要】
【発明が解決しようとする課題】
【０００４】
ところで、上述の画像生成装置においては、ユーザーにより任意で設定された拡大表示率で人物の顔領域を表示パネルに拡大表示した際の、表示パネルの表示領域に対する比率で、画像中の他の人物の顔領域または他の画像中における人物の顔領域を表示パネルに拡大表示することができない。
【０００５】
本発明の目的は、画像中の人物の顔領域を表示部に所望の拡大表示率で拡大表示した際の、表示部の表示領域に対する顔領域の比率でもって、画像中の他の人物の顔領域または他画像中における人物の顔領域を表示部に表示することができる画像再生装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の画像再生装置は、画像を表示する表示部（８）と、前記画像中の人物の顔領域を前記表示部に拡大表示する際の、拡大表示率を操作する拡大操作手段（４）と、前記拡大操作手段（４）によって指示された拡大表示率で拡大表示された前記顔領域の、前記表示部（８）における表示領域に対する比率を算出する算出手段（４）と、前記算出手段（４）で算出された前記比率を記憶する記憶手段（１２）と、前記画像中の他の人物の顔領域、または前記画像とは異なる他画像中における人物の顔領域を、前記記憶手段（１２）に記憶された前記比率を用いて前記表示部（８）に拡大表示せしめる制御手段（４）とを備えることを特徴とする。
【発明の効果】
【０００８】
本発明の画像再生装置によれば、画像中の人物の顔領域を表示部に所望の拡大表示率で拡大表示した際の、表示部の表示領域に対する比率でもって、画像中の他の人物の顔領域または他画像中における人物の顔領域を表示部に表示することができる。
【図面の簡単な説明】
【０００９】
【図１】実施の形態に係る画像再生装置のシステム構成を示すブロック図である。
【図２】実施の形態に係る画像再生装置において画像中の人物の顔領域を拡大表示する際の処理について説明するためのフローチャートである。
【図３】実施の形態に係る画像表示部の表示例を示す図である。
【図４】初期拡大表示率を算出する方法について説明するための図である。
【図５】実施の形態に係る画像表示部の表示例を示す図である。
【図６】実施の形態に係る画像表示部の表示例を示す図である。
【図７】実施の形態に係る画像再生装置において画像中の人物の顔領域を任意の拡大表示率で拡大表示する際の処理について説明するためのフローチャートである。
【図８】実施の形態に係る画像表示部の表示例を示す図である。
【図９】実施の形態に係る画像表示部の表示例を示す図である。
【図１０】拡大調整量を算出する方法について説明するための図である。
【図１１】移動調整量を算出する方法について説明するための図である。
【図１２】実施の形態に係る画像再生装置において画像中の他の人物の顔領域を拡大表示する際の処理について説明するためのフローチャートである。
【図１３】実施の形態に係る画像表示部の表示例を示す図である。
【図１４】実施の形態に係る画像表示部の表示例を示す図である。
【図１５】実施の形態に係る画像表示部の表示例を示す図である。
【図１６】実施の形態に係る画像表示部の表示例を示す図である。
【発明を実施するための形態】
【００１０】
以下、図面を参照して、本発明の実施の形態に係る画像再生装置について説明する。図１は、実施の形態に係る画像再生装置２のシステム構成を示すブロック図である。この画像再生装置２は、パソコン（ＰＣ）、デジタルカメラ、携帯電話、プロジェクタ装置などその他、画像再生機能を有する装置のことである。図１に示すように、画像再生装置２は、制御部４、記録媒体６、画像表示部８、操作部１０、調整量記憶部１２を備えて構成されている。
【００１１】
制御部４は、ＣＰＵ等により構成されており、画像再生装置２の各部を統括的に制御する。記録媒体６は、画像再生装置２に設けられた記録媒体差込口（図示せず）に着脱可能に装着される可搬性を有する記録媒体であり、記録媒体６には、複数の画像データが記録されている。画像表示部８は、記録媒体６に記録されている画像データに基づく画像を表示する。操作部１０は、電源をオン／オフする電源ボタン、画像表示部８に表示されている画像中の人物の顔領域を自動的に抽出して拡大表示させるための顔拡大表示モードに表示モードを移行するための顔拡大ボタン、画像表示部８に表示されている画像を任意の拡大表示率で拡大表示させるための拡大ボタン、画像表示部８に表示されている画像を任意の縮小表示率で縮小表示させるための縮小ボタン、画像表示部８に表示されている人物の顔領域を画像表示部８の表示領域に対して移動させるための顔移動キー（十字操作キー）、設定した任意の拡大表示率および顔領域の移動位置で設定値を決定させるための決定キー（ＯＫキー）等を含んで構成されている。調整量記憶部１２は、画像表示部８に任意の拡大表示率で表示された画像の、画像表示部８の表示領域に対する比率である拡大調整量、及び画像表示部８に表示されている画像中の人物の顔領域の、画像表示部８の表示領域に対する中心位置の移動量である移動調整量を記憶する。
【００１２】
次に、図２に示すフローチャートを参照して、実施の形態に係る画像再生装置２において、画像表示部８に表示されている画像中の人物の顔領域を拡大表示する際の処理について説明する。
【００１３】
まず、制御部４は、記録媒体６に記録されている画像データに基づく画像が画像表示部８に表示されている状態で、ユーザーにより顔拡大ボタンが押下されたか否かを判別する（ステップＳ１０）。顔拡大ボタンが押下されたと判別された場合には（ステップＳ１０、Ｙｅｓ）、制御部４は、画像中の人物の顔領域を検出し、検出結果に基づいて顔検出情報リストを作成する（ステップＳ１１）。例えば、図３に示すように、画像表示部８に画像２０が表示されている場合において、周知の顔認識処理等により画像２０中の人物の顔部分を含む顔領域２２ａ〜２２ｆを検出する。そして、検出された顔領域２２ａ〜２２ｆの画像表示部８の表示領域に対する大きさや位置等の情報を含む顔検出情報リストを作成する。なお、図３において、画像表示部８の表示領域内の右下部に表示されている画像２４は、画像２０の縮小画像であり、その機能については後述する。
【００１４】
次に、制御部４は、ステップＳ１１において作成された顔検出情報リストの中に、顔領域の情報があるか否かを判別する（ステップＳ１２）。即ち、画像表示部８に表示されている画像の中に人物の顔が含まれているか否かを判別する。例えば、画像表示部８に表示されている画像が風景を写したものであって人物を写したものでない場合には、画像中に人物の顔が含まれていないため、顔検出情報リストの中の顔領域の情報は０であり、制御部４は、顔領域の情報がないと判別する（ステップＳ１２、Ｎｏ）。制御部４は、顔領域の情報がないと判別した場合には（ステップＳ１２、Ｎｏ）、画像表示部８に表示されている画像の拡大表示を行うことなく、処理を終了する。
【００１５】
一方、図３に示すように、画像表示部８に表示されている画像２０が人物を写したものである場合には、画像２０中に人物の顔が含まれているため、制御部４は、顔検出情報リストの中に顔領域２２ａ〜２２ｆの情報があると判別する（ステップＳ１２、Ｙｅｓ）。そして、顔領域２２ａ〜２２ｆの情報があると判別された場合には（ステップＳ１２、Ｙｅｓ）、制御部４は、顔領域２２ａ〜２２ｆが画像表示部８の表示領域８に対して傾きを持っているか否かを判別する（ステップＳ１３）。例えば、顔領域２２ｅ内の人物の顔の傾き量は、画像表示部８の表示領域８に対して０でない（傾いている）。したがって、制御部４は、顔領域２２ｅは画像表示部８の表示領域に対して傾きを持つと判別し（ステップＳ１３、Ｙｅｓ）、周知の傾き検出処理等を用いて、画像表示部８の表示領域に対する顔領域２２ｅの傾き量を検出し、検出結果に基づいて周知の画像回転処理等により画像表示部８の表示領域に対する顔領域２２ｅの傾き量を０とするために、顔領域２２ｅに対して局所的な回転処理を行う（ステップＳ１４）。なお、画像表示部８の表示領域に対して、顔領域２２ａ〜２２ｄ，２２ｆ内の人物の顔の傾き量は略０であるため、制御部４は、画像表示部８の表示領域に対して顔領域２２ａ〜２２ｄ，２２ｆの傾きがないと判別する（ステップＳ１３、Ｎｏ）。
【００１６】
画像表示部８の表示領域に対する顔領域の傾き量を０とする回転処理が行われた後（ステップＳ１４）、または、画像表示部８の表示領域に対して顔領域の傾きがないと判別された場合（ステップＳ１３、Ｎｏ）には、画像表示部８の表示領域に対する顔領域の初期拡大表示率を算出する（ステップＳ１５）。
【００１７】
具体的には、図４に示すように、画像表示部８の表示領域の横方向における長さをａａ、縦方向における長さをｂｂとし、顔領域（図４では顔領域２２ａ）の横方向における長さをａ、縦方向における長さをｂとしたとき、Ｈ＝ａａ／ａとＶ＝ｂｂ／ｂとを比較する。Ｖ≦Ｈの場合には、顔領域２２ａの初期拡大表示率をＶとし、Ｖ＞Ｈの場合には、顔領域２２ａの初期拡大表示率をＨとする。この実施の形態では、顔領域２２ａの初期拡大表示率は、Ｖ＞ＨであるためＨである。このように、初期拡大表示率は、個々の顔領域２２ａ〜２２ｆにより異なり、顔領域２２ａ〜２２ｆ毎に算出される。
【００１８】
次に、制御部４は、ステップＳ１５において算出された初期拡大表示率で顔領域を画像表示部８に拡大表示する（ステップＳ１６）。図５は、顔領域２２ａの中心位置を画像表示部８の表示領域の中心位置に配置し、初期拡大表示率Ｈで画像表示部８に画像２０の顔領域２２ａを拡大表示した状態を示す図である。なお、図５に示すように、画像２０の縮小画像２４上には、画像表示部８に拡大表示されている顔領域２２ａの縮小画像を囲む枠２６ａが表示されている。枠２６ａは画像表示部８の表示領域を示しており、ユーザーは、枠２６ａを視認することにより、画像２０の中の何れの領域が拡大表示されているかを容易に判別することができる。
【００１９】
また、図６は、顔領域２２ｅの初期拡大表示率で画像表示部８に画像２０の顔領域２２ｅを拡大表示した状態を示す図である。図６に示すように、制御部４は、回転処理がなされた顔領域２２ｅの中心位置を画像表示部８の表示領域の中心位置に配置し、顔領域２２ｅを拡大表示する。図６においても、図５と同様に、縮小画像２４上には、画像表示部８に拡大表示されている顔領域２２ｅの縮小画像を囲む枠２６ｂが表示されている。
【００２０】
なお、画像２０のように複数の人物の顔領域が存在する場合には、予め設定された順序で（例えば、画面左側から順に）各顔領域を画像表示部８に順次拡大表示する。この場合には、ユーザーによる操作指示により、または所定時間間隔で次の顔領域を画像表示部８に拡大表示する。
【００２１】
次に、図７に示すフローチャートを参照して、実施の形態に係る画像再生装置２において、画像表示部８に拡大表示されている顔領域を任意の拡大表示率で拡大表示する際の処理について説明する。
【００２２】
まず、制御部４は、画像表示部８に顔領域が拡大表示されているときに（ステップＳ２０、Ｙｅｓ）、ユーザーにより拡大ボタンが押下されると（ステップＳ２１、Ｙｅｓ）、任意の拡大表示率で画像表示部８に拡大表示されている顔領域を更に拡大表示する（ステップＳ２２）。例えば、図５に示すように画像２０の顔領域２２ａが初期拡大表示率で画像表示部８に拡大表示されているときに、ユーザーにより拡大ボタンが一回押下されると、図８に示すように拡大表示率を図５の状態よりも更に所定拡大率だけ上げて顔領域２２ａを更に拡大表示する。図８に示す状態でユーザーにより更に拡大ボタンが一回押下されると、制御部４は、拡大表示率を図８の状態よりも更に所定拡大率だけ上げて顔領域２２ａを更に拡大表示する（不図示）。このように、ユーザーにより拡大ボタンが押下される毎に、制御部４は、所定割合ずつ（所定拡大率ずつ）顔領域２２ａの拡大率を上げながら拡大表示を行う。一方、ユーザーにより縮小ボタンが押下される毎に、制御部４は、所定割合ずつ（所定縮小率ずつ）顔領域２２ａの縮小率を上げながら（拡大率を下げながら）縮小表示を行う。なお、いずれの場合においても、顔領域２２ａの中心位置を画像表示部８の表示領域の中心位置に配置する。
【００２３】
ユーザーにより拡大ボタンが押下されていない場合(ステップＳ２１、Ｎｏ)、またはステップＳ２２においてユーザー指定された拡大表示率（任意の拡大表示率）で顔領域を拡大表示した後、制御部４は、ユーザーにより顔移動キーが押下されたか否かを判別する（ステップＳ２３）。ユーザーにより顔移動キーが押下されると（ステップＳ２３、Ｙｅｓ）、制御部４は、顔移動キーによる操作指示に基づいて、画像表示部８に表示されている顔領域の中心位置を画像表示部８の表示領域の中心位置から移動させて、中心位置を移動させた顔領域を画像表示部８に拡大表示する（ステップＳ２４）。
【００２４】
例えば、図８に示すように画像表示部８に任意の拡大表示率で顔領域２２ａが拡大表示されている状態で、ユーザーにより顔領域２２ａの中心位置を左下部に移動する指示がなされた場合には、制御部４は、図９に示すように、画像表示部８に表示される顔領域２２ａの中心位置を画像表示部８の表示領域の中心位置から左下部に移動させる。
【００２５】
次に、制御部４は、ユーザーにより顔領域の設定（拡大率と中心位置）に関して決定する決定（ＯＫ）キーが操作されると、ステップＳ２２において拡大表示した際の任意の拡大表示率である拡大調整量、及びステップＳ２４において顔領域の中心位置を移動した際の移動量である移動調整量を算出し、算出された拡大調整量及び移動調整量を調整量記憶部１２に記憶させる（ステップＳ２５）。
【００２６】
拡大調整量は、図１０に示すように、初期拡大表示率により拡大表示された破線で示す領域Ｒ１から、任意の拡大表示率により一点鎖線で示す領域Ｒ２に更に拡大表示した場合において、領域Ｒ１の頂点Ｐ１と領域Ｒ２の頂点Ｐ２との距離αを検出することにより算出される。移動調整量は、図１１に示すように、初期拡大表示率により拡大表示された領域Ｒ１の中心位置Ｃ１と、任意の拡大表示率により拡大表示された領域Ｒ２の中心位置Ｃ２との距離βを検出することにより算出される。制御部４は、算出された拡大調整量α及び移動調整量βを調整量記憶部１２に記憶させる。
【００２７】
次に、図１２に示すフローチャートを参照して、実施の形態に係る画像再生装置２において、画像表示部８に画像中の他の人物の顔領域を拡大表示する際の処理について説明する。
【００２８】
まず、制御部４は、ユーザーにより画像表示部８に表示されている画像２０の顔領域２２ａから画像２０の他の顔領域（例えば、顔領域２２ｂ）への移動指示がなされた場合には（ステップＳ３０、Ｙｅｓ）、顔領域２２ａが任意の拡大表示率により画像表示部８に拡大表示されているか否かを判別する（ステップＳ３１）。例えば図８または図９に示すように、顔領域２２ａが初期拡大表示率でなく、任意の拡大表示率により画像表示部８に拡大表示されている場合には（ステップＳ３１、Ｙｅｓ）、制御部４は、調整量記憶部１２から顔領域２２ａの拡大調整量を取得し、取得した拡大調整量に基づいて他の顔領域の拡大処理を行う（ステップＳ３２）。具体的には、他の顔領域を、まず初期拡大表示率で拡大し、拡大調整量に基づく拡大表示率で更に拡大する。なお、画像表示部８の表示領域に対して他の顔領域の傾きがある場合には、ステップＳ３２の処理を行う前に、図２に示すステップＳ１４と同様の処理、即ち画像表示部８の表示領域に対する顔領域２２ｅの傾き量を０とする回転処理を行う。
【００２９】
ステップＳ３１において任意の拡大表示率により画像表示部８に拡大表示されていない場合（ステップＳ３１、Ｎｏ）、または、ステップＳ３２における処理の後、制御部４は、顔領域２２ａの中心位置が移動されているか否かを判別する（ステップ３３）。例えば図９に示すように、顔領域２２ａの中心位置が画像表示部８の表示領域の中心位置に配置されてなく、画像表示部８の表示領域の中心位置から移動させて拡大表示されている場合には（ステップＳ３３、Ｙｅｓ）、制御部４は、調整量記憶部１２から顔領域２２ａの移動調整量を取得し、取得した移動調整量に基づいて他の顔領域の中心位置を画像表示部８の表示領域の中心位置から移動させる処理を行う（ステップＳ３４）。
【００３０】
ステップＳ３１において顔領域２２ａの中心位置が画像表示部８の表示領域の中心位置から移動されていない場合には（ステップＳ３３、Ｎｏ）、または、ステップＳ３４における処理の後、制御部４は、ステップＳ３２による顔領域の拡大処理及びステップＳ２４による顔領域の中心位置の移動処理がなされた後の他の顔領域（例えば、顔領域２２ｂ）を画像表示部８に拡大表示する（ステップＳ３５）。即ち、図１３に示すように、顔領域２２ｂを、図９に示す顔領域２２ａと同様の拡大表示率で、かつ図９に示す顔領域２２ａの中心位置と同様の位置に中心位置を配置し、画像表示部８に表示する。
【００３１】
このように、次の顔領域の拡大表示を指示する操作（例えば、「次の画像へ」ボタンを押下）するのみで、顔領域２２ａを拡大表示させた際の任意の拡大表示率や任意の中心位置移動量で、顔領域２２ｂ〜２２ｆを画像表示部８に拡大表示させることができる。また、画像中の他の顔領域のみならず、画像２０と異なる他の画像、例えば図１４に示すような画像３０中の人物の顔領域３２ａ，３２ｂについても、顔領域２２ａを拡大表示させた際の任意の拡大表示率や任意の中心位置移動量で、画像表示部８に拡大表示させることができる。図１５は、画像３０中の顔領域３２ａを、図９に示す顔領域２２ａと同様の拡大表示率で、かつ図９に示す顔領域２２ａの中心位置と同様の位置に中心位置を配置し、画像表示部８に拡大表示させた状態を示す図である。図１５においても、画像３０の縮小画像３４上には、画像表示部８に拡大表示されている顔領域３２ａの縮小画像を囲む枠３６が表示されている。
【００３２】
この実施の形態に係る画像再生装置２によれば、顔領域の拡大調整量及び移動調整量を調整量記憶部１２に記憶させることができるため、他の顔領域を、同様の拡大表示率（画像表示部８の表示領域に対する比率）で、かつ同様の位置に、拡大表示させることができる。また、拡大表示率は任意に変更可能であり、変更された拡大表示率に基づく拡大調整量を記憶することができるため、他の顔領域を、任意の拡大表示率で容易に拡大表示させることができる。また、人物の顔が画像表示部８の表示領域に対して傾いている場合においても、傾き量を検出し、検出結果に基づいて回転処理を施すことができるため、傾き補正された顔領域を画像表示部８に拡大表示させることができる。このように、同一の画像中や他の画像中の様々な大きさを有する顔領域のそれぞれを、画像表示部８の表示領域に対して同一の大きさかつ同一の位置に容易に（一度のボタン操作で）拡大表示（例えば、顔領域の一部、目の部分や鼻の部分のみを拡大表示）させることができるため、各顔領域の比較等を容易に行うことができる。
【００３３】
なお、この実施の形態においては、記録媒体６に記録されている画像データに基づく画像中の人物の顔領域を拡大表示させているが、例えば画像再生機能を有し、かつ撮影機能を有するデジタルカメラ等において、撮像素子からの撮像信号に基づく画像であるスルー画像中の人物の顔領域についても本発明を適用することができる。
【００３４】
なお、上記実施形態では、拡大表示させたい顔領域を含んだ画像を実際に再生表示している最中に、拡大操作（縮小操作）や中心位置の移動操作を行うことによって、顔領域の拡大表示率（縮小表示率）を設定するようにしているが、本発明はこれに限られるものではない。顔領域を含んだ画像を再生表示する前に、顔領域を拡大再生表示させる際の拡大率や中心位置（表示領域８に対する顔領域の中心位置）などを事前設定できるようにしておき、画像を再生表示した際にはその事前設定した設定値（拡大表示率、中心位置（中心シフト量））に基づいて、その画像内の顔領域の拡大再生表示を行うようにしても良い。
【００３５】
図１６（ａ），（ｂ）はその一例を示すものである。画像表示部８にメニュー画面を呼び出して表示させ、そのメニューの中から図１６（ａ）に示すような「顔領域表示設定メニュー画面」を選んで表示部８に表示させる。図１６（ａ）に示す初期画面では、顔の形をしたキャラクタ画像２２０が、表示部８の表示画面と同等の縦横比（表示アスペクト比）を持つ表示エリア８´のほぼ中央部に初期表示される。また表示エリア８´の上部には、現在のメニュー内容を表示するメニュー内容表示エリア３００が表示され、表示エリア８´の下部には、ユーザーに設定操作を促すメッセージを表示するメッセージ表示エリア４００が表示される。図１６（ａ）では、メッセージ表示エリア４００に、拡大ボタン、縮小ボタンの操作に応じてキャラクタ画像２２０の拡大表示率を設定でき、且つ顔移動キーでキャラクタ画像２２０の中心位置を設定できる旨をユーザーに伝えるメッセージが表示されている。また表示エリア８´の左右には、表示エリア８´を、表示部８の表示画面と同等の縦横比（表示アスペクト比）にするための黒帯表示５００が表示される。
【００３６】
図１６（ａ）の表示中に、ユーザーが拡大ボタンや顔移動キーなどを操作すると、それに応じてキャラクタ画像２２０の表示エリア８´に対する拡大率や中心位置がシフトする。図１６（ｂ）は、ユーザーが拡大ボタンを操作してキャラクタ画像２２０を拡大し、且つ顔移動キーを操作してキャラクタ画像２２０の中心位置をシフトさせた状態を示している。このときメッセージ表示エリア４００には、この（図１６（ｂ）の）表示状態で顔領域に関する設定を完了させるならＯＫキーを押すことを促すメッセージが表示される。ここでユーザーがＯＫキーを操作すれば、図１６（ｂ）の表示状態での情報（顔領域の拡大率と中心位置）が記憶部１２に記憶される。
【００３７】
そして、顔領域を含んだ画像を表示しているときに顔拡大ボタンが操作されると、その画像の顔領域に対して、このメニュー画面で設定し記憶部１２に記憶した情報（拡大率、中心位置）に基づいて、顔領域の画像が表示部８に表示されることになる。
【符号の説明】
【００３８】
２…画像再生装置、４…制御部、６…記録媒体、８…画像表示部、１０…操作部、１２…調整量記憶部。
【図１】
2011002626.tif 000003
【図２】
2011002626.tif 000004
【図３】
2011002626.tif 000005
【図４】
2011002626.tif 000006
【図５】
2011002626.tif 000007
【図６】
2011002626.tif 000008
【図７】
2011002626.tif 000009
【図８】
2011002626.tif 000010
【図９】
2011002626.tif 000011
【図１０】
2011002626.tif 000012
【図１１】
2011002626.tif 000013
【図１２】
2011002626.tif 000014
【図１３】
2011002626.tif 000015
【図１４】
2011002626.tif 000016
【図１５】
2011002626.tif 000017
【図１６】
2011002626.tif 000018